(57)【要約】【課題】  小型化及び部品点数の削減を図ると共にオートフォーカスセンサーの調整の容易化を図る。【解決手段】  外筐４に開口４ｂが形成され外筐の内部に開口に連通された収納空間４ｃと収納空間に連通された配置空間４ｄとが形成された装置本体２と、蓋部１６によって開口が閉塞され発光部１７が収納空間に収納される閉塞位置と開口が開放され発光部が外部へ露出される開放位置との間で装置本体に移動自在に連結されたストロボユニット３とを設け、配置空間にオートフォーカスセンサー２５とオートフォーカスセンサーの傾きを調整するための複数の調整ネジ２８、２８、２８が設けられたセンサー調整部２２とを有するセンサーユニット２０が配置され、外筐の内部に光をオートフォーカスセンサーへ向けて反射するミラー１０が配置され、ストロボユニットが開放位置に移動されたときに収納空間が調整ネジを回転させるための調整用治具５０の挿入が可能な調整用空間１９として形成されるようにした。【選択図】        図６
2012042894.tif 000002
【特許請求の範囲】
【請求項１】
外筐の内部に少なくともシャッター機構と撮像素子が配置されると共に前記外筐に開口が形成され前記外筐の内部に前記開口に連通された収納空間と前記収納空間に連通された配置空間とが形成された装置本体と、
蓋部と発光部を有すると共に前記蓋部によって前記開口が閉塞され前記発光部が前記収納空間に収納される閉塞位置と前記開口が開放され前記発光部が前記開口から前記装置本体の外部へ露出される開放位置との間で前記装置本体に移動自在に連結されたストロボユニットとを備え、
前記配置空間にオートフォーカスセンサーと前記オートフォーカスセンサーの傾きを調整するための回転可能な複数の調整ネジが設けられたセンサー調整部とを有するセンサーユニットが配置され、
前記外筐の内部に入射された光の一部を前記オートフォーカスセンサーへ向けて反射するミラーが配置され、
前記ストロボユニットが前記開放位置に移動されたときに前記収納空間が前記調整ネジを回転させるための調整用治具の挿入が可能な調整用空間として形成されるようにした
撮像装置。
【請求項２】
前記調整用治具が前記蓋部の内面に沿う方向において前記調整用空間に挿入可能とされた
請求項１に記載の撮像装置。
【請求項３】
前記センサーユニットの少なくとも一部を前記開口側から覆うカバー部を前記外筐に一体に形成した
請求項１に記載の撮像装置。
【請求項４】
前記オートフォーカスセンサーの調整後に前記カバー部に取り付けられ前記センサーユニットを前記開口側から閉塞する保護カバーを設けた
請求項３に記載の撮像装置。
【請求項５】
前記ストロボユニットが前記装置本体に連結アームによって連結され、
前記連結アームを挟んだ反対側にそれぞれ前記センサー調整部の調整ネジが位置された
請求項１に記載の撮像装置。
【請求項６】
前記センサーユニットの少なくとも一部を前記開口側から覆うカバー部を前記外筐に一体に形成し、
前記ストロボユニットが前記装置本体に連結アームによって連結され、
前記ストロボユニットが前記閉塞位置に移動されたときに前記連結アームが前記カバー部に重なるようにした
請求項１に記載の撮像装置。
【発明の詳細な説明】
【技術分野】
【０００１】
本発明は撮像装置についての技術分野に関する。詳しくは、ミラーによって光をストロボユニットの近傍に配置されたオートフォーカスセンサーへ向けて反射させ小型化及び部品点数の削減を図ると共にオートフォーカスセンサーの調整の容易化を図る技術分野に関する。
【背景技術】
【０００２】
ビデオカメラやスチルカメラ等の各種の撮像装置には、自動で合焦機能が実行される所謂オートフォーカス機能を有するものがあり、オートフォーカス機能は外筐の内部に配置されたオートフォーカスセンサーにミラーを介して光が入射されることにより実行される。
【０００３】
このようなオートフォーカスセンサーは複数の調整ネジを有するセンサー調整部とともにセンサーユニットを構成し、センサー調整部によって光軸の向きを所望の向きに調整する傾き調整が行われる。オートフォーカスセンサーの傾き調整は、撮像装置の組立の最終工程において行う必要があるため、センサーユニットは外筐の内部における外周側、例えば、下端部に配置され（例えば、特許文献１参照）、外筐の下面には傾き調整を行うための調整用治具が挿入される複数の治具挿入孔が形成されている。
【０００４】
オートフォーカスセンサーの傾き調整は、治具挿入孔から調整用治具を挿入し、センサー調整部の複数の調整ネジをそれぞれ適宜回転させることにより行われる。オートフォーカスセンサーの傾き調整が終了した後には、治具挿入孔を閉塞するために、外筐の下面に、例えば、製品の製造番号等が印刷されたラベルが貼り付けられる。
【０００５】
特許文献１に記載された撮像装置にあっては、外筐の内部におけるセンサーユニットの上方に、ハーフミラー（半透過ミラー）とサブミラーが配置され、ハーフミラーを透過された光がサブミラーによって下方へ向けて反射され、反射された光が外筐の内部における下端部に配置されたオートフォーカスセンサーに入射される構成とされている。
【０００６】
【特許文献１】特開２００４−３１２４３２号公報
【発明の開示】
【発明が解決しようとする課題】
【０００７】
ところが、特許文献１に記載された撮像装置にあっては、ハーフミラーに加えてサブミラーが配置されており、外筐の内部にサブミラーの配置スペースが必要であり、その分、小型化に支障を来たすと言う問題がある。
【０００８】
また、ハーフミラーに加えてサブミラーが必要とされるため、部品点数が多くなり、内部構造が複雑となってしまう。
【０００９】
さらに、サブミラーはハーフミラーを透過された光を反射してオートフォーカスセンサーに入射させる機能を有しているため、サブミラーの傾き調整が必要であり、その分、撮像装置の組立時における工程数が多く、組立時間が長くなってしまう。
【００１０】
一方、オートフォーカスセンサーの良好なオートフォーカス機能を発揮させるためには、オートフォーカスセンサーの傾き調整が必要であるため、この傾き調整を容易に行うことができるような構成とする必要もある。
【００１１】
そこで、本発明撮像装置は、上記した問題点を克服し、小型化及び部品点数の削減を図ると共にオートフォーカスセンサーの調整の容易化を図ることを課題とする。
【課題を解決するための手段】
【００１２】
撮像装置は、上記した課題を解決するために、外筐の内部に少なくともシャッター機構と撮像素子が配置されると共に前記外筐に開口が形成され前記外筐の内部に前記開口に連通された収納空間と前記収納空間に連通された配置空間とが形成された装置本体と、蓋部と発光部を有すると共に前記蓋部によって前記開口が閉塞され前記発光部が前記収納空間に収納される閉塞位置と前記開口が開放され前記発光部が前記開口から前記装置本体の外部へ露出される開放位置との間で前記装置本体に移動自在に連結されたストロボユニットとを備え、前記配置空間にオートフォーカスセンサーと前記オートフォーカスセンサーの傾きを調整するための回転可能な複数の調整ネジが設けられたセンサー調整部とを有するセンサーユニットが配置され、前記外筐の内部に入射された光の一部を前記オートフォーカスセンサーへ向けて反射するミラーが配置され、前記ストロボユニットが前記開放位置に移動されたときに前記収納空間が前記調整ネジを回転させるための調整用治具の挿入が可能な調整用空間として形成されるようにしたものである。
【００１３】
従って、撮像装置にあっては、センサーユニットが開放位置に移動された状態において、外筐の開口を介してセンサー調整部によるオートフォーカスセンサーの調整が可能となる。
【００１４】
上記した撮像装置においては、前記調整用治具が前記蓋部の内面に沿う方向において前記調整用空間に挿入可能とされることが望ましい。
【００１５】
調整用治具が蓋部の内面に沿う方向において調整用空間に挿入可能とされることにより、調整用治具の調整用空間への挿入時に蓋部が調整用治具の案内部として機能する。
【００１６】
上記した撮像装置においては、前記センサーユニットの少なくとも一部を前記開口側から覆うカバー部を前記外筐に一体に形成することが望ましい。
【００１７】
センサーユニットの少なくとも一部を開口側から覆うカバー部を外筐に一体に形成することにより、開口とセンサーユニットの間にカバー部が位置される。
【００１８】
上記した撮像装置においては、前記オートフォーカスセンサーの調整後に前記カバー部に取り付けられ前記センサーユニットを前記開口側から閉塞する保護カバーを設けることが望ましい。
【００１９】
オートフォーカスセンサーの調整後にセンサーユニットを開口側から閉塞する保護カバーを設けることにより、オートフォーカスセンサーの調整後にセンサーユニットが保護カバーによって保護される。
【００２０】
上記した撮像装置においては、前記ストロボユニットが前記装置本体に連結アームによって連結され、前記連結アームを挟んだ反対側にそれぞれ前記センサー調整部の調整ネジが位置されることが望ましい。
【００２１】
連結アームを挟んだ反対側にそれぞれセンサー調整部の調整ネジが位置されることにより、調整用空間に調整用治具が挿入されたときにセンサー調整部の調整ネジが位置されていない部分に調整用治具が接触し難い。
【００２２】
上記した撮像装置においては、前記センサーユニットの少なくとも一部を前記開口側から覆うカバー部を前記外筐に一体に形成し、前記ストロボユニットが前記装置本体に連結アームによって連結され、前記ストロボユニットが前記閉塞位置に移動されたときに前記連結アームが前記カバー部に重なるようにすることが望ましい。
【００２３】
ストロボユニットが閉塞位置に移動されたときに連結アームがカバー部に重なるようにすることにより、連結アームがカバー部によって受けられる。
【発明の効果】
【００２４】
本発明撮像装置は、外筐の内部に少なくともシャッター機構と撮像素子が配置されると共に前記外筐に開口が形成され前記外筐の内部に前記開口に連通された収納空間と前記収納空間に連通された配置空間とが形成された装置本体と、蓋部と発光部を有すると共に前記蓋部によって前記開口が閉塞され前記発光部が前記収納空間に収納される閉塞位置と前記開口が開放され前記発光部が前記開口から前記装置本体の外部へ露出される開放位置との間で前記装置本体に移動自在に連結されたストロボユニットとを備え、前記配置空間にオートフォーカスセンサーと前記オートフォーカスセンサーの傾きを調整するための回転可能な複数の調整ネジが設けられたセンサー調整部とを有するセンサーユニットが配置され、前記外筐の内部に入射された光の一部を前記オートフォーカスセンサーへ向けて反射するミラーが配置され、前記ストロボユニットが前記開放位置に移動されたときに前記収納空間が前記調整ネジを回転させるための調整用治具の挿入が可能な調整用空間として形成されるようにしている。
【００２５】
従って、オートフォーカスセンサーに向けて光を反射するためのサブミラーが必要とされず、小型化及び部品点数の削減を図ることができる。
【００２６】
また、センサーユニットが開放位置に移動された状態において、外筐の開口を介してセンサー調整部によるオートフォーカスセンサーの調整が可能であるため、オートフォーカスセンサーの調整の容易化を図ることができる。
【発明を実施するための最良の形態】
【００２７】
以下に、本発明撮像装置を実施するための最良の形態を添付図面に従って説明する。
【００２８】
以下に示した最良の形態は、本発明撮像装置をデジタルスチルカメラに適用したものである。
【００２９】
但し、本発明の適用範囲はデジタルスチルカメラに限られることはなく、オートフォーカスセンサー及びストロボユニットを有する他の各種の装置に広く適用することができる。
【００３０】
以下の説明にあっては、撮像装置（デジタルスチルカメラ）の撮影時において撮影者から見た方向で前後上下左右の方向を示すものとする。従って、被写体側が前方となり、撮影者側が後方となる。
【００３１】
尚、以下に示す前後上下左右の方向は説明の便宜上のものであり、本発明の実施に関しては、これらの方向に限定されることはない。
【００３２】
［撮像装置の概略構成］
撮像装置（デジタルスチルカメラ）１は装置本体２と装置本体２に移動自在に連結されたストロボユニット３とを備えている（図１及び図２参照）。
【００３３】
装置本体２は、例えば、横長の箱状の外筐４の内外に所要の各部が配置されて成る。
【００３４】
外筐４の右端部は前方へ突出されたグリップ部４ａとして設けられ、撮影者によってグリップ部４ａが把持された状態で撮影が行われる。
【００３５】
外筐４の上面には撮影時に操作されるシャッター釦５と所定の設定等を行うための操作ダイヤル６とが配置されている。操作ダイヤル６を操作することにより、シャッター速度や絞り値の調整、各種の撮影モードの設定、各撮影モードにおける各種の機能の設定等を行うことができる。
【００３６】
撮影モードとしては、例えば、シャッター速度や絞り値の設定が自動で行われるオート撮影モードやシャッター速度と絞り値が自動で設定され他の設定を手動で行うプログラムオート撮影モード等がある。
【００３７】
また、各撮影モードにおける各種の機能の設定としては、例えば、ホワイトバランス調整やフォーカスモード等の設定がある。これらの機能の設定は、例えば、後述するディスプレイパネルに表示される設定用の画面を視認した状態で操作ダイヤル６を操作することにより行うことが可能である。
【００３８】
外筐４の上端部における後端部には後述する撮像素子によって撮像される被写体像を視認するためのファインダー部７が設けられている。
【００３９】
外筐４の背面におけるファインダー部７の下方には、ディスプレイパネル８が配置されている（図３参照）。ディスプレイパネル８には、撮像素子によって撮像された被写体像や図示しない記録媒体から読み出された画像等が表示される他、各種のモードの設定時等に必要な表示等が出力される。
【００４０】
外筐４の背面におけるディスプレイパネル８の周囲には、図示しない各種の操作スイッチが配置されている。操作スイッチを操作することにより、例えば、手振れ補正の実行等を含む各種の機能の設定等を行うことができる。
【００４１】
外筐４の前面部には撮影レンズ９が配置されている（図１及び図２参照）。撮影レンズ９の後方には図示しない各種のレンズ又はレンズ群が光軸に沿って配置されている。外筐４の前面には撮影レンズ９を開閉する位置に、図示しない交換レンズの着脱が可能とされている。
【００４２】
外筐４の上面には外筐４の内外を連通する開口４ｂが形成されている（図２乃至図６参照）。外筐４の内部における上端部には開口４ｂに連通する収納空間４ｃが形成されている。外筐４の内部には収納空間４ｃに連通し収納空間４ｃの下側に隣接して位置する配置空間４ｄが形成されている。
【００４３】
外筐４の内部には撮影レンズ９の後方にミラー１０が配置されている（図３乃至図６参照）。ミラー１０は水平方向に対して所定の角度傾斜し、即ち、入射された光がミラーで反射され後述するセンサーブロックの受光レンズに入射される角度傾斜した状態で配置され、入射された光を反射及び透過する半透過ミラーとして設けられている。従って、撮影レンズ９を介してミラー１０に入射された光は、図３に示すように、一部を除いてミラー１０を透過されて光Ａとして後方へ進行され、一部がミラー１０で反射されて光Ｂとして上方へ進行される。
【００４４】
外筐４の内部にはミラー１０の後方にシャッター機構１１と素子ユニット１２が前方側から順に配置されている（図３乃至図６参照）。素子ユニット１２にはＣＣＤ（Charge Coupled Device）やＣＭＯＳ（Complementary Metal Oxide Semiconductor）等の撮像素子が設けられている。
【００４５】
撮影レンズ９から入射されミラー１０を透過されて後方へ進行された光は、素子ユニット１２に入射され、素子ユニット１２の撮像素子によって光電変換されて画像として取り込まれる。撮影時にはシャッター釦５に対する操作に応じてシャッター機構１１が動作され、被写体の撮影が行われる。
【００４６】
外筐４の内部における素子ユニット１２の後側には前後方向を向く回路基板１３が配置されている。回路基板１３には撮像装置１の全体の制御を行うための各種の回路が形成されている。
【００４７】
ストロボユニット３は外筐４の上端部に開口４ｂを開閉可能な状態で配置され、開口４ｂを閉塞する閉塞位置と開口４ｂを開放する開放位置との間で装置本体２に対して移動可能とされている。ストロボユニット３は撮影時において補助光を照射する機能を有している。
【００４８】
ストロボユニット３は本体部１４と本体部１４から突出され左右に離隔して設けられた脚部１５、１５と本体部１４に取り付けられた蓋部１６とを有し、脚部１５、１５の各先端部がそれぞれ外筐４の内部において装置本体２に回動可能な状態で連結されている。本体部１４には取付面部１４ａが設けられ、取付面部１４ａには発光部１７が取り付けられている。
【００４９】
本体部１４には連結アーム１８の上端部が回動可能な状態で連結されている。連結アーム１８は下端部が外筐４の内部において装置本体２に回動可能な状態で連結されている。連結アーム１８には下方に開口された凹部１８ａが形成されている。連結アーム１８は横幅がストロボユニット３の本体部１４の横幅より小さくされ、本体部１４の左右両端部を除く部分に対応して位置されている（図７及び図８参照）。
【００５０】
ストロボユニット３は図示しないロック機構によって閉塞位置においてロックされ、発光部１７が外筐４の内部に形成された収納空間４ｃに収納される（図３及び図４参照）。ストロボユニット３が閉塞位置にある状態においては、開口４ｂが蓋部１６によって閉塞される。ストロボユニット３が閉塞位置から開放位置へ向けて移動されるときには、ストロボユニット３の脚部１５の先端部及び連結アーム１８の下端部がそれぞれ装置本体２に対して回動されると共に連結アーム１８の上端部がストロボユニット３の本体部１４に対して回動される。ストロボユニット３が開放位置に移動された状態においては、開口４ｂが開放され、発光部１７が開口４ｂから外部へ露出されて正面を向く状態とされ、収納空間４ｃがが後述するセンサー調整部の調整ネジを回転させるための調整用空間１９として形成される（図５及び図６参照）。
【００５１】
外筐４の内部に形成された配置空間４ｄにはセンサーユニット２０が配置されている（図３乃至図６参照）。センサーユニット２０はセンサーブロック２１とセンサー調整部２２を有している。
【００５２】
センサーブロック２１は、図３に示すように、受光レンズ２３と反射板２４とオートフォーカスセンサー２５を有している。受光レンズ２３はミラー１０で反射された光を受光して集光する機能を有し、反射板２４は受光レンズ２３によって集光された光を反射してオートフォーカスセンサー２５に入射させる機能を有している。オートフォーカスセンサー２５に光が入射されると、入射された光によって合焦状態情報が検出され、検出された合焦状態情報に基づいてオートフォーカス機能が実行される。
【００５３】
センサー調整部２２は、図４に示すように、支持ベース２６と支持ベース２６に移動自在に支持された調整ベース２７と調整ベース２７を挿通され支持ベース２６に螺合された３本の調整ネジ２８、２８、２８と調整ベース２７を支持ベース２６に対して付勢する付勢バネ２９、２９、２９とを有している。調整ネジ２８、２８、２８は調整ベース２７の左右両端部に位置されている（図７参照）。
【００５４】
支持ベース２６は外筐４の内部において固定されている。調整ベース２７は付勢バネ２９、２９、２９によって支持ベース２６から離隔する方向、即ち、調整ネジ２８、２８、２８の軸方向へ付勢され、センサーブロック２１に結合されている。
【００５５】
従って、調整ネジ２８、２８、２８をドライバー等の調整用治具５０によって回転することにより、支持ベース２６に対して調整ベース２７が変位（移動）され、調整ベース２７と結合されているセンサーブロック２１（オートフォーカスセンサー２５）の傾きが調整される。
【００５６】
センサーユニット２０の上方には外筐４に一体に形成されたカバー部４ｅが位置されている（図３乃至図６参照）。カバー部４ｅは縦断面形状で見て下方に開口された椀状に形成され、センサーユニット２０の左右両端部を除く部分の上方に位置されている（図７及び図８参照）。
【００５７】
ストロボユニット３が開放位置に移動された状態においては、上記したように、外筐４の内部に形成された収納空間４ｃが調整用空間１９として形成され、調整用空間１９はセンサーユニット２０が配置された配置空間４ｄと外筐４に形成された開口４ｂとに連通される。このとき外筐４の開口４ｂを通して左右方向における中央部にカバー部４ｅが視認され、カバー部４ｅの左右にそれぞれ調整ネジ２８、２８、２８が視認される。
【００５８】
ストロボユニット３が閉塞位置に移動された状態においては、図３に示すように、連結アーム１８の凹部１８ａに外筐４のカバー部４ｅが下方から挿入された状態とされ、連結アーム１８がカバー部４ｅに重ねられた状態で位置される。
【００５９】
［オートフォーカスセンサーの調整］
撮像装置１にあっては、ストロボユニット３が開放位置に移動された状態において、図９に示すように、調整用空間１９にドライバー等の調整用治具５０を挿入して調整ネジ２８、２８、２８を回転させてセンサーブロック２１（オートフォーカスセンサー２５）の傾きを調整することができる。
【００６０】
このときストロボユニット３の取付面部１４ａ及び蓋部１６は略前斜め下方を向く状態とされており、調整用治具５０を蓋部１６の内面に沿うようにして調整用空間１９に挿入することが可能である。
【００６１】
上記のようにしてセンサーブロック２１の傾きの調整が終了すると、保護カバー３０、３１がカバー部４ｅの左右両端部に取り付けられる（図６及び図８参照）。保護カバー３０、３１は、図１０に示すように、それぞれ被取付ベース３０ａ、３１ａと被取付ベース３０ａ、３１ａから上方へ突出された覆い部３０ｂ、３１ｂと被取付ベース３０ａ、３１ａの前端部から下方へ突出された係合片３０ｃ、３１ｃとを有している。
【００６２】
保護カバー３０、３１は、図６に示すように、係合片３０ｃ、３１ｃと被取付ベース３０ａ、３１ａの後端部とがそれぞれ外筐４の一部に係合されることにより、覆い部３０ｂ、３１ｂがそれぞれ調整ネジ２８、２８、２８を覆う状態でカバー部４ｅの左右に取り付けられる（図８参照）。
【００６３】
尚、保護カバー３０、３１のカバー部４ｅに対する取付方法は、上記した係合に限られることはなく、例えば、接着やネジ止め等による取付方法を用いることも可能である。
【００６４】
［撮像装置の回路構成］
次に、撮像装置の回路構成の一例について説明する（図１１参照）。
【００６５】
撮像装置１００（撮像装置１に相当）は、カメラブロック１１０、カメラＤＳＰ（Digital Signal Processor）１２０、ＳＤＲＡＭ（Synchronous Dynamic Random Access Memory）１３０、媒体インターフェース１４０、制御ブロック１５０、操作部１６０、ＬＣＤ（Liquid Crystal Display）１７０及び外部インターフェース１８０を備え、記録媒体２００が着脱可能とされている。
【００６６】
記録媒体２００としては、半導体メモリーを用いた所謂メモリーカード、記録可能なＤＶＤ（Digital Versatile Disk）や記録可能なＣＤ（Compact Disc）等のディスク状記録媒体等の種々のものを用いることができる。
【００６７】
カメラブロック１１０は、撮像部１１１、レンズ駆動系１１２、手振れ補正系１１３及び画像取出系１１４を備えている。
【００６８】
撮像部１１１は光学像を得るための撮像レンズ１１１ａ及び得られた光学像を電気信号に変換する撮像素子１１１ｂ（素子ユニット１２の撮像素子に相当）を有している。
【００６９】
レンズ駆動系１１２は、撮像レンズ１１１ａ中の可動レンズを駆動してズーミング及びフォーカシングを行う機能を有している。レンズ駆動系１１２は、可動レンズを駆動するためのステッピングモータ等の駆動手段１１２ａ、駆動手段１１２ａに駆動信号を送出するドライバー１１２ｂ及び駆動手段１１２ａの動作をフィードバックする検出手段１１２ｃを有している。
【００７０】
手振れ補正系１１３は、撮像装置１００のぶれを検出する検出素子等のぶれ検出手段１１３ａとぶれ検出手段１１３ａの検出結果に基づいてぶれ補正装置１１３ｂを動作させるドライバー１１３ｃとを有している。
【００７１】
画像取出系１１４は、制御ブロック１５０による制御に応じて撮像素子１１１ｂの駆動タイミングを生成するタイミング生成回路１１４ａ、タイミング生成回路１１４ａが生成したタイミングに基づき撮像素子１１１ｂを駆動するドライバー１１４ｂ、撮像素子１１１ｂから取り出したアナログ信号をデジタル信号に変換するＡ／Ｄ変換回路１１４ｃを有している。
【００７２】
Ａ／Ｄ変換回路１１４ｃは、入力された電気信号としての画像情報に対してＣＤＳ（Correlated Double Sampling）処理を行って良好なＳ／Ｎ比を確保し、ＡＧＣ（Automatic Gain Control）処理を行って利得を制御し、Ａ／Ｄ（Analog/Digital）変換を行ってデジタル信号としての画像データーの生成等を行う。
【００７３】
カメラＤＳＰ１２０は、Ａ／Ｄ変換回路１１４ｃから入力された画像データーに対してＡＦ（Auto Focus）、ＡＥ（Auto Exposure）、ＡＷＢ（Auto White Balance）等の信号処理を行う。ＡＦ、ＡＥ、ＡＷＢ等の信号処理が行われた画像データーは、所定の方式で圧縮され、制御ブロック１５０を介して記録媒体２００に出力されて記録される。
【００７４】
カメラＤＳＰ１２０には、ＳＤＲＡＭコントローラー１２１が設けられ、ＳＤＲＡＭコントローラー１２１の指令によりＳＤＲＡＭ１３０に対して高速でデーターの読み書きが行われる。
【００７５】
制御ブロック１５０は、ＣＰＵ（Central Processing Unit）１５１、ＲＡＭ（Random Access Memory）１５２、フラッシュＲＯＭ（Read Only Memory）１５３、時計回路１５４等の各部がシステムバス１５５を介して接続されて構成されたマイクロコンピューターであり、撮像装置１００の各部を制御する機能を有する。
【００７６】
ＣＰＵ１５１はドライバー１１２ｂ、１１３ｃやタイミング生成回路１１４ａを介してドライバー１１４ｂ等に指令信号を送出し、これらの各部を動作させる。
【００７７】
ＲＡＭ１５２は、主に、処理の途中結果を一時記憶する作業領域として用いられる。
【００７８】
フラッシュＲＯＭ１５３にはＣＰＵ１５１において実行する種々のプログラムや各処理に必要となるデーター等が記憶される。
【００７９】
時計回路１５４は現在年月日、現在曜日、現在時刻、撮影日時等を出力する回路である。
【００８０】
操作部１６０（シャッター釦５及び操作ダイヤル６等に相当）に対して操作が行われると、操作に応じた信号がＣＰＵ１５１に入力され、入力された信号に基づいてＣＰＵ１５１から各部に指令信号が送出される。
【００８１】
ＬＣＤ１７０（ディスプレイパネル８に相当）はシステムバス１５５に接続されたＬＣＤコントローラー１７１によって制御される。ＬＣＤ１７０には、ＬＣＤコントローラー１７１の駆動信号に基づいた画像データー等の各種の情報が表示される。
【００８２】
外部インターフェース１８０はシステムバス１５５に接続されている。外部インターフェース１８０は撮像装置１００にパーソナルコンピューター等の外部機器１０００を接続する接続部である。外部インターフェース１８０を介して撮像装置１００に外部機器１０００が接続されることにより、外部機器１０００から画像データーを受け取って記録媒体２００に記録したり、記録媒体２００に記録されている画像データーを外部機器１０００に出力することができる。尚、記録媒体２００はシステムバス１５５に接続された媒体インターフェース１４０を介して制御ブロック１５０に接続される。
【００８３】
また、外部インターフェース１８０を介して撮像装置１００に通信モジュール等の外部機器１０００を接続することにより、例えば、インターネット等のネットワークに接続して種々の画像データーやその他の情報を取得し、取得したデーター等の記録媒体２００への記録や記録媒体２００に記録されているデーターのネットワークを通じての相手先への送信等を行うことができる。
【００８４】
尚、外部インターフェース１８０は、ＩＥＥＥ（Institute of Electrical and Electronics Engineers）１３９４、ＵＳＢ（Universal Serial Bus）等の有線用インターフェースとして設けることも可能であり、また、光や電波による無線用インターフェースとして設けることも可能である。
【００８５】
記録媒体２００に記録された画像データーは、ユーザーによって行われた操作部１６０に対する操作に応じた操作信号に基いて読み出され、媒体インターフェース１４０を介してカメラＤＳＰ１２０に送出される。
【００８６】
カメラＤＳＰ１２０は、記録媒体２００から読み出されて入力された圧縮されている画像データーについて、データー圧縮の解凍処理（伸張処理）を行い、解凍後の画像データーをシステムバス１５５を介してＬＣＤコントローラー１７１に送出する。ＬＣＤコントローラー１７１は、入力された画像データーに基づいた画像信号をＬＣＤ１７０に送出し、ＬＣＤ１７０に画像信号に基づいた画像が表示される。
【００８７】
［まとめ］
以上に記載した通り、撮像装置１にあっては、センサーユニット２０を外筐４の内部における上方側に形成された配置空間４ｄに配置しミラー１０で反射された光をオートフォーカスセンサー２５に入射させるようにしている。
【００８８】
従って、ミラーを透過した光をさらに反射させてオートフォーカスセンサー２５に入射させるためのサブミラーを必要としないため、外筐４の内部にサブミラーの配置スペースを必要とせず、その分、小型化を図ることができ、また、サブミラーを必要としないため、部品点数の削減を図ることができる。
【００８９】
さらに、サブミラーの傾き調整を必要としないため、撮像装置１の組立工程を削減して組立時間の短縮化を図ることができる。
【００９０】
さらにまた、ストロボユニット３の発光部１７が収納される収納空間４ｃが調整用空間１９として形成されるため、外筐４の内部に調整用治具５０を挿入するための専用の空間を形成する必要がなく、その分、小型化を図ることができる。  加えて、オートフォーカスセンサー２５の傾き調整を、ストロボユニット３を開放位置に移動させて調整用空間１９から調整用治具５０を挿入して行うことができるため、オートフォーカスセンサー２５の傾き調整を容易に行うことができる。
【００９１】
また、ストロボユニット３が開放位置に移動されたときに、調整ネジ２８、２８、２８を回転させる調整用治具５０が蓋部１６の内面及び本体部１４の被取付部１４ａの内面に沿う方向において調整用空間１９に挿入可能とされている。
【００９２】
従って、調整用治具５０の調整用空間１９への挿入時に調整用治具５０に蓋部１６及び本体部１４の被取付部１４ａが接触し難いと共に調整用治具５０が円滑に調整用空間１９に挿入されるため、オートフォーカスセンサー２５の調整を容易かつ迅速に行うことができる。また、調整用治具５０の調整用空間１９への挿入時に蓋部１６及び本体部１４が調整用治具５０の案内部として機能するため、オートフォーカスセンサー２５の調整を容易かつ確実に行うことができる。
【００９３】
さらに、撮像装置１にあっては、センサーユニット２０の少なくとも一部を開口４ｂ側から覆うカバー部４ｅが外筐４に一体に形成されているため、センサーユニット２０の保護を簡単な構造により製造コストの高騰を来たすことなく行うことができる。
【００９４】
さらにまた、オートフォーカスセンサー２５の調整後にカバー部４ｅに取り付けられてセンサーユニット２０を開口側４ｂから閉塞する保護カバー３０、３１を設けているため、調整後にセンサーユニット２０に誤って指等が接触することがなく、センサーユニット２０の損傷や破損を防止することができる。
【００９５】
加えて、連結アーム１８の左右にそれぞれセンサー調整部２２の調整ネジ２８、２８、２８が位置されているため、調整用空間１９に調整用治具５０を挿入したときにセンサー調整部２２の調整ネジ２８、２８、２８が位置されていない部分の調整用治具５０による傷付きを防止することができる。
【００９６】
また、ストロボユニット３が閉塞位置に移動された状態において、連結アーム１８がカバー部４ｅに重ねられた状態で位置されるため、連結アーム１８がカバー部４ｅによって受けられ、連結アーム１８に対して外力が付与されたときの変形や破損を防止することができる。また、閉塞位置において連結アーム１８がカバー部４ｅに重ねられることにより、その分、外筐４の内部における空間を小さくすることができ、撮像装置１の小型化を図ることができる。
【００９７】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９８】
【図１】図２乃至図１２と共に本発明撮像装置を示すものであり、本図は、ストロボユニットが閉塞位置にある状態における撮像装置の斜視図である。
【図２】ストロボユニットが開放位置にある状態における撮像装置の斜視図である。
【図３】図１のＩＩＩ−ＩＩＩ線に沿う概略拡大断面図である。
【図４】図１のＩＶ−ＩＶ線に沿う概略拡大断面図である。
【図５】図２のＶ−Ｖ線に沿う概略拡大断面図である。
【図６】図２のＶＩ−ＶＩ線に沿う概略拡大断面図である。
【図７】ストロボユニットが開放位置にあるときに保護カバーが取り付けられる前の状態を示す拡大斜視図である。
【図８】ストロボユニットが閉塞位置にあるときに保護カバーが取り付けられた状態を示す拡大斜視図である。
【図９】オートフォーカスセンサーの調整が行われている状態を示す概略拡大断面図である。
【図１０】保護カバーの拡大斜視図である。
【図１１】撮像装置のブロック図である。
【符号の説明】
【００９９】
１…撮像装置、２…装置本体、３…ストロボユニット、４…外筐、４ｂ…開口、４ｃ…収納空間、４ｄ…配置空間、４ｅ…カバー部、１０…ミラー、１１…シャッター機構、１６…蓋部、１７…発光部、１８…連結アーム、１９…調整用空間、２０…センサーユニット、２２…センサー調整部、２５…オートフォーカスセンサー、２８…調整ネジ、３０…保護カバー、３１…保護カバー、５０…調整用治具、１００…撮像装置、１１１ｂ…撮像素子
【図１】
2012042894.tif 000003
【図２】
2012042894.tif 000004
【図３】
2012042894.tif 000005
【図４】
2012042894.tif 000006
【図５】
2012042894.tif 000007
【図６】
2012042894.tif 000008
【図７】
2012042894.tif 000009
【図８】
2012042894.tif 000010
【図９】
2012042894.tif 000011
【図１０】
2012042894.tif 000012
【図１１】
2012042894.tif 000013